(57)【要約】【課題】パチンコ機等の弾球遊技機において、遊技場側の作業負担を増大させることなく、また、破損時の損失コストを低減しつつ、遊技者の眼精疲労を防止する。【解決手段】遊技機１は、透明な部材で形成された遊技盤３と、遊技盤３の裏面側に配設された液晶表示装置２と、遊技盤３と液晶表示装置２との間に設けられた保護フィルタ４とを備える。これにより、遊技機１内部に保護フィルタ４を配設することができ、遊技機１を設置する際、遊技場側で、保護フィルタ４の嵌め付け作業を行う必要がなく、また、メンテナンス時の破損や、遊技者による破損を回避することができる。【選択図】  図３
2004350762.tif 000002
【特許請求の範囲】
【請求項１】
所定の表示態様が表示されると大当たり状態となり遊技者に有利な状態を発生させる弾球遊技機であって、
透明な部材で形成された遊技盤と、
前記遊技盤の裏面側に配設され、前記所定の表示態様を表示可能な表示装置と、
前記遊技盤と前記表示装置との間に設けられた保護フィルタと
を備えることを特徴とする弾球遊技機。
【請求項２】
前記保護フィルタは、前記遊技盤の裏面に形成された凹部に嵌め込まれることを特徴とする請求項１に記載の弾球遊技機。
【請求項３】
前記遊技盤の裏面に凸部が突設され、前記凸部に嵌合される嵌合部が前記保護フィルタに設けられることを特徴とする請求項１又は２に記載の弾球遊技機。
【請求項４】
前記保護フィルタに凸部が突設され、前記凸部に嵌合される嵌合部が前記遊技盤の裏面に設けられることを特徴とする請求項１又は２に記載の弾球遊技機。
【発明の詳細な説明】
【０００１】
【発明の属する技術分野】
本発明は、所定の表示態様が表示されると大当たり状態となり遊技者に有利な状態を発生させる弾球遊技機に関する。
【０００２】
【従来の技術】
近年、パチンコ等の弾球遊技機市場では、ゲーム性を構成する重要な要素の１つとして映像が挙げられている。従来、遊技機の映像においては、７インチ以下の液晶モニターやドット表示装置を搭載することが主流となっている。このような表示装置を備えた遊技機によれば、遊技機におけるゲームの進行に応じた映像を表示することにより、ゲームの進行状態を明確に表示したり、遊技者の期待感を喚起させたり、入賞状態を効果的に演出したりすることが可能となる（例えば、特許文献１参照）。
【０００３】
ところで、このような遊技機において、遊技面前面に設けられた板ガラスの表面は、鏡面反射現象（眩光）や外光の映り込み現象を生じる傾向があり、遊技者にとって遊技盤面を見難く、早期に眼精疲労や視覚障害などを生じやすいという問題がある。特に、遊技機表面に、上述したような表示装置を設けた場合には、遊技者が遊技面を凝視する時間が長くなるため、眼精疲労等が顕著になる傾向がある。
【０００４】
従来、このような遊技者の眼精疲労等を防止する技術として、特開２００１−３４０５１８号公報（特許文献２）や実開平５−１１９８５号公報（特許文献３）に開示されたものがある。
【０００５】
特許文献２に開示された技術では、図７に示すように、パチンコ機Ａの前面開閉扉Ｂの扉枠１４に、前後一対の透明な板ガラス１９，２０が嵌め付けられており、その前後相互間に保護フィルタ２１ａが嵌め付けられており、これによって遊技盤面１５を容易に透視できるようになっている。この保護フィルタ２１ａは、外光反射による遊技盤面１５への映り込み防止機能や、遊技盤面１５のちらつき防止機能、遊技盤面１５から発せられる紫外線や電磁波をカットする機能を備えた透明な合成樹脂プレートからなる。
【０００６】
なお、前面開閉扉Ｂの扉枠１４は、パチンコ機Ａの本体枠１１の前面枠１３に、回動自在に枢着されており、遊技盤面１５の全体を被覆している。遊技盤面１５には、役物としての小型液晶画面１６等が設けられている。
【０００７】
このような特許文献２に開示された技術によれば、両板ガラス１９、２０の前後相互間に、保護フィルタ２１ａを介在させることにより、遊技者の眼精疲労や視覚障害などを予防することができる。
【０００８】
一方、特許文献３に開示された技術では、上述した板ガラス１９，２０を着色半透明ガラスにするか、透明板ガラスに半透明フィルムを貼着するか、若しくは板ガラス１９，２０の間に半透明フィルムを挿入することによって、板ガラス１９，２０の全部又は一部を半透明状態とし、これにより遊技者の眼精疲労を防止している。
【０００９】
【特許文献１】
特開２００１−３４０５１８号公報
【００１０】
【特許文献２】
特開平１０−１６５６００号公報
【００１１】
【特許文献３】
実開平５−１１９８５号公報
【００１２】
【発明が解決しようとする課題】
しかしながら、パチンコ機等の遊技機を遊技場に設置する際、搬送時の破損防止や製造場所の相違等の理由により、遊技機本体と板ガラスとは別途に搬入され、遊技場において、設置された遊技機本体に板ガラスを嵌め込むという作業を行うのが慣例となっている。
【００１３】
ところが、上記特許文献２に開示された技術では、前後一対の板ガラス１９，２０の間に保護フィルタ２１ａを介在させるため、上述した遊技機を設置する際、板ガラス１９，２０の嵌め込み作業と併せて、保護フィルタ２１ａの嵌め付け作業を行わなければならず、遊技場側の作業負担が大きくなるという問題がある。
【００１４】
また、上記特許文献２に開示された技術は、遊技機前面の板ガラス１９，２０に保護フィルタ２１ａを貼着するものであり、板ガラス１９，２０が破損された場合には、その内部の保護フィルタ２１ａも同時に破損する可能性が高い。一方、上記特許文献３に開示された技術では、板ガラス１９，２０に半透明処理等を施すものであるため、板ガラスの製造コストそのものが増大する。このため、これら特許文献２及び３に開示された技術では、板ガラス１９，２０が破損された場合の損失コストも増大するという問題がある。
【００１５】
特に、遊技機前面の板ガラス１９，２０は、メンテナンス等により頻繁に開閉されるとともに、遊技者が遊技時に直接手で触れることが可能であることから、メンテナンス時や遊技時に破損される可能性が高く、構造を簡略化し、製造コストを抑え、破損時の損失コストを低減させる必要がある。
【００１６】
そこで、本発明は、以上の問題点に鑑みてなされたもので、遊技場側の作業負担を増大させることなく、また、破損時の損失コストを低減しつつ、遊技者の眼精疲労を防止することのできる弾球遊技機を提供することを目的とする。
【００１７】
【課題を解決するための手段】
上記課題を解決するために、本発明は、所定の表示態様が表示されると大当たり状態となり遊技者に有利な状態を発生させる弾球遊技機であって、透明な部材で形成された遊技盤と、遊技盤の裏面側に配設され、前記所定の表示態様を表示可能な表示装置と、遊技盤と表示装置との間に設けられた保護フィルタとを備える。
【００１８】
このような本発明によれば、保護フィルタを透明な遊技盤の裏面側に設けるため、遊技機の製造時において、遊技機内部に保護フィルタを配設することができ、遊技機を設置する際、遊技場側で、保護フィルタの嵌め付け作業を行う必要がなく、遊技場側の作業負担を軽減させることができる。また、本発明によれば、保護フィルタは、遊技機内部に配設されることから、メンテナンス時の破損や、遊技者による破損を回避することができ、破損時の損失コストを低減させることが可能となる。
【００１９】
上記発明においては、保護フィルタは、遊技盤の裏面に形成された凹部に嵌め込まれることが好ましい。この場合、設計時にあっては、遊技盤と表示装置との間における保護フィルタの厚み分のスペースを省略することができ、また、製造時にあっては、凹部に保護フィルタを嵌め込むだけで、保護フィルタの位置決めが容易となり、製造作業の簡略化を図ることができる。
【００２０】
上記発明においては、遊技盤の裏面に凸部が突設され、前記凸部に嵌合される嵌合部が保護フィルタに設けられるか、或いは、保護フィルタに凸部が突設され、前記凸部に嵌合される嵌合部が遊技盤の裏面に設けられることが好ましい。この場合には、凸部に嵌合部を嵌合させることにより、製造時における保護フィルタの位置決めや固定をより容易なものとすることができる。なお、この嵌合部は、保護フィルタを貫通された貫通孔でもよく、或いは、保護フィルタ又は遊技盤裏面に形成された凹部であってもよい。
【００２１】
【発明の実施の形態】
以下、本発明の実施形態に係る遊技機について、図を用いて詳細に説明する。なお、本実施形態においては、遊技機として弾球遊技機（パチンコ機）に、本発明を適用した場合を例に説明する。
【００２２】
［第１実施形態］
図１は、第１実施形態に係る遊技機の全体斜視図であり、図２は、遊技盤のみを示す正面図であり、図３は、その側部断面図である。
【００２３】
図１乃至図３に示すように、本実施形態に係る遊技機１は、釘３ａや一般入賞口３ｂや始動口３ｃや大入賞口３ｄ等が配設された遊技盤３を、板ガラス５ａ及び５ｂからなる開閉板ガラス５で覆って構成されており、遊技盤３と開閉板ガラス５との間に遊技空間６が形成されている。また、遊技盤３は透明な部材で形成されているとともに、遊技盤３の裏面側には、液晶表示装置２が配設されており、開閉板ガラス５と遊技盤３を通して液晶表示装置２が見えるようになっている。
【００２４】
なお、遊技盤３は、例えば、ポリカーボネート等の合成樹脂で形成することができる。また、本実施形態において、この遊技盤３の表面には、遊技領域を狭くしないように、液晶表示装置２が背面に配設されている部分にも、釘３ａや一般入賞口３ｂや始動口３ｃや大入賞口３ｄ等が配設されている。
【００２５】
始動口３ｃに弾球が入球したことを契機として、液晶表示装置２は、３桁の特別図柄７ａ、７ｂ、７ｃの変動表示を開始する。特別図柄７ａ、７ｂ、７ｃの変動表示の開始から所定期間が経過した後、液晶表示装置２が、特別図柄７ａ、７ｂ、７ｃの停止表示として、所定の表示態様（例えば、７７７）を表示した場合、遊技機１は、大当たり状態となり、遊技者に有利な状態、すなわち、大入賞口３ｄが繰り返し開閉する状態を発生させる。
【００２６】
そして、遊技盤３と液晶表示装置２との間には、保護フィルタ４が介在されている。この保護フィルタ４は、本実施形態では、液晶表示装置２の表面全部に接着されており、この接着された保護フィルタ４上に遊技盤３が接着されている。
【００２７】
保護フィルタ４は、ポリカーボネート等の合成樹脂で形成された、偏光フィルタや着色透明フィルタを用いることができ、外光反射による遊技盤３への映り込み防止機能や、遊技盤３のちらつき防止機能、紫外線カット機能、電磁波カット機能、表示画像のコントラスト向上機能を備える。
【００２８】
このような本実施形態に係る遊技機１によれば、保護フィルタ４を遊技盤３の裏面側に設けるため、遊技機１の製造時において、遊技機１内部に保護フィルタ４を配設することができ、遊技機１を設置する際、遊技場側で、保護フィルタ４の嵌め付け作業を行う必要がなく、遊技場側の作業負担を軽減させることができる。また、保護フィルタ４は、遊技機１内部に配設されることから、メンテナンス時の破損や、遊技者による破損を回避することができ、破損時の損失コストを低減させることが可能となる。
【００２９】
［第２実施形態］
次いで、本発明の第２実施形態について説明する。図４は、第２実施形態に係る遊技機の側部断面図である。本実施形態では、上述した第１実施形態における保護フィルタ４が、遊技盤３の裏面に形成され、保護フィルタ４の厚み分の深さを有する凹部３１に嵌め込まれていることを特徴とする。
【００３０】
すなわち、図４に示すように、保護フィルタ４は、液晶表示装置２の表面全部に接着されているとともに、遊技盤３の裏面には、保護フィルタ４と同一形状の凹部３１が形成され、保護フィルタ４は、遊技盤３の凹部３１に嵌め込まれるようにして接着される。
【００３１】
このような本実施形態に係る遊技機１によれば、設計時にあっては、遊技盤３と液晶表示装置２との間における保護フィルタ４の厚み分のスペースを省略することができ、また、製造時にあっては、凹部３１に保護フィルタ４を嵌め込むだけで、保護フィルタ４の位置決めが容易となり、製造作業の簡略化を図ることができる。
【００３２】
［変更例］
なお、上述した第１実施形態及び第２実施形態においては、以下のような変更を加えることができる。
【００３３】
（変更例１）
図５（ａ）は、この変更例１に係る遊技盤３及び保護フィルタ４の一部を拡大して示す側部断面図である。
【００３４】
同図に示すように、本変更例では、遊技盤３の裏面に突設された凸部７１と、保護フィルタ４を貫通させて設けられ凸部７１に嵌合される嵌合孔７２とが備えられている。このような本変更例によれば、凸部７１に嵌合孔７２を嵌合させることにより、製造時における保護フィルタ４の位置決めや固定をより容易なものとすることができる。
【００３５】
（変更例２）
図５（ｂ）は、この変更例２に係る遊技盤３及び保護フィルタ４の一部を拡大して示す側部断面図である。
【００３６】
同図に示すように、本変更例では、遊技盤３の裏面に突設された凸部８１と、保護フィルタ４に設けられ凸部８１に嵌合される嵌合凹部８２とが備えられている。このような本変更例によれば、凸部８１に嵌合凹部８２を嵌合させることにより、製造時における保護フィルタ４の位置決めや固定をより容易なものとすることができる。
【００３７】
（変更例３）
図６は、変更例３に係る遊技盤３及び保護フィルタ４の一部を拡大して示す側部断面図である。
【００３８】
同図に示すように、本変更例では、保護フィルタ４に突設された凸部９１と、遊技盤３の裏面に凸部９１に嵌合される嵌合凹部９２とを設ける。このような本変更例によれば、凸部９１に嵌合凹部９２を嵌合させることにより、製造時における保護フィルタ４の位置決めや固定をより容易なものとすることができる。
【００３９】
（変更例４）
また、上述した第１実施形態、第２実施形態、及びこれらの変更例においては、上述した保護フィルタ４を拡大レンズやレンチキュラレンズ等とすることにより、液晶表示装置２による表示画像を拡大・変形させるようにしてもよい。
【００４０】
【発明の効果】
以上説明したように、本発明の弾球遊技機によれば、保護フィルタを透明な遊技盤の裏面側に設けるため、遊技機内部に保護フィルタを配設することができ、遊技者の眼精疲労を防止することができる。また、遊技機を設置する際、遊技場側で保護フィルタの嵌め付け作業を行う必要がないため、遊技場側の作業負担を低減することができる。またこれによって、メンテナンス時の破損や、遊技者による破損を防ぐことができる。
【図面の簡単な説明】
【図１】第１実施形態に係る遊技機の全体斜視図である。
【図２】第１実施形態に係る遊技機の遊技盤を示す正面図である。
【図３】第１実施形態に係る遊技機の側部断面図である。
【図４】第２実施形態に係る遊技機の側部断面図である。
【図５】（ａ）は、変更例１に係る遊技盤３及び保護フィルタ４の一部を拡大して示す側部断面図であり、（ｂ）は、変更例２に係る遊技盤３及び保護フィルタ４の一部を拡大して示す側部断面図である。
【図６】変更例３に係る遊技盤３及び保護フィルタ４の一部を拡大して示す側部断面図である。
【図７】従来のパチンコ機を示す側部断面図である。
【符号の説明】
１…遊技機
２…液晶表示装置
３…遊技盤
３ａ…釘
３ｂ…一般入賞口
３ｃ…始動口
３ｄ…大入賞口
４…保護フィルタ
５…開閉板ガラス
５ａ，５ｂ…板ガラス
６…遊技空間
７ａ、７ｂ、７ｃ…特別図柄
３１…凹部
７１…凸部
７２…嵌合孔
８１…凸部
８２…嵌合凹部
９１…凸部
９２…嵌合凹部
【図１】
2004350762.tif 000003
【図２】
2004350762.tif 000004
【図３】
2004350762.tif 000005
【図４】
2004350762.tif 000006
【図５】
2004350762.tif 000007
【図６】
2004350762.tif 000008
【図７】
2004350762.tif 000009